(57)【要約】      （修正有）【課題】ゴルフ練習場で使用するゴルフボール貸与機内にゴルフボールを供給するための作業を安全に、かつ、肉体的労力に頼ることなく、作業負担を軽減して行うことのできる使い勝手のよいゴルフボールの揚球装置を提供する。【解決手段】所定高さ位置からゴルフボール貸与機内にゴルフボール３を落下させて供給するためのゴルフボールの揚球装置１であって、移動可能な脚枠４に立設した一対のガイドレール５ａ間に油圧シリンダにて昇降可能な昇降枠１１を装架し、底面部１４ｂに供給孔を穿設した支持体１４を昇降枠１１に一体に連結するとともに、支持体１４に供給孔を覆蓋する蓋部材を開閉可能に設置し、支持体１４の供給孔と連通する開口部を底部に穿設したバスケット１８を支持体１４に固定してなる。【選択図】図１
0003188442.tif 000002
【実用新案登録請求の範囲】
【請求項１】
所定高さ位置からゴルフボール貸与機内にゴルフボールを落下させて補給するためのゴルフボールの揚球装置であって、
移動可能な脚枠に立設した一対のガイドレール間に油圧シリンダにて昇降可能な昇降枠を装架し、底面部に補給孔を穿設した支持体を昇降枠に一体に連結するとともに、支持体に補給孔を覆蓋する蓋部材を開閉可能に設置し、支持体の補給孔と連通する開口部を底部に穿設したバスケットを支持体に固定してなることを特徴とするゴルフボールの揚球装置。
【請求項２】
脚枠に油圧シリンダを立設し、該油圧シリンダのシリンダロッドの先端にスプロケットを連結するとともに、脚枠と昇降枠との間にスプロケットを介してチェーンを固定することにより、油圧シリンダのシリンダロッドの伸縮に連動して昇降枠を昇降させる請求項１記載のゴルフボールの揚球装置。
【請求項３】
脚枠に足踏み又は手動にて駆動する油圧ポンプを設置し、足踏み又は手動にて駆動する油圧ポンプから圧油を油圧シリンダに供給する請求項１又は２記載のゴルフボールの揚球装置。
【請求項４】
足踏み又は手動にて駆動する油圧ポンプを閉状態として加圧することにより、油圧シリンダを伸長させてバスケットを上昇させるとともに、加圧を停止することによって油圧シリンダを現位置に保持してバスケットを所定高さに保持する請求項３記載のゴルフボールの揚球装置。
【請求項５】
足踏み又は手動にて駆動する油圧ポンプを開状態とすることにより、油圧シリンダから圧油を排出して、油圧シリンダを縮小させてバスケットを下降させる請求項３又は４記載のゴルフボールの揚球装置。
【請求項６】
バスケット底部に開口部に向けて下降する傾斜面を形成した請求項１，２，３，４又は５記載のゴルフボールの揚球装置。
【請求項７】
蓋部材を摺動自在に支持体の下面に設置した請求項１，２，３，４，５又は６記載のゴルフボールの揚球装置。
【請求項８】
蓋部材にハンドルを装備した請求項１，２，３，４，５，６又は７記載のゴルフボールの揚球装置。
【請求項９】
脚枠に固定キャスターとブレーキ機構を具備した方向転換可能な可動キャスターを設置した請求項１，２，３，４，５，６，７又は８記載のゴルフボールの揚球装置。
【請求項１０】
ゴルフボールの揚球装置を手動にて移動自在、かつ、方向転換可能とした請求項１，２，３，４，５，６，７，８又は９記載のゴルフボールの揚球装置。
【請求項１１】
バスケットに収納した一定量のゴルフボールを所定高さまで揚球し、蓋部材を操作して補給孔を開口し、バスケット内に収納したゴルフボールを開口部及び補給孔から外部に補給可能とした請求項１，２，３，４，５，６，７，８，９又は１０記載のゴルフボールの揚球装置。
【請求項１２】
バスケットの下端位置においてバスケット内に一定量のゴルフボールを収納し、バスケットを上昇させてゴルフボールを所定高さまで揚球する請求項１１記載のゴルフボールの揚球装置。
【考案の詳細な説明】
【技術分野】
【０００１】
本考案はゴルフ練習場において、ゴルフボール貸与機内にゴルフボールを補給するために、一定量のゴルフボールをゴルフボール貸与機の投入口の上方まで揚球し、その位置から排出するゴルフボールの揚球装置に関するものである。
【背景技術】
【０００２】
ゴルフは最も競技人口の多いスポーツであるため、ゴルフ練習場も数多く存在し、日々多くのゴルファーが練習に励んでいる。ゴルフ練習場の多くは、練習者が自動販売機スタイルのゴルフボール貸与機から所定数のゴルフボールの貸与を受け、ゴルフ練習場内の指定された打席から、フェンスやネットで囲われた所定の空間に向けてゴルフボールを順次打ち出すことにより、スイングを練習する「打ちっ放し」といわれるスタイルである。かかるゴルフ練習場においては、打ち出されたゴルフボールを回収して洗浄をした後に、次の貸し出しに備えて、ゴルフボール貸与機内に順次補給しておく必要がある。
【０００３】
ゴルフボール貸与機は、そのサイズによっても異なるが、一般に６０００個〜８０００個のゴルフボールを収納するものが多く、多い日には１台のゴルフボール貸与機のゴルフボールがｎ回（多くは４〜５回程度）に亘って貸与される。即ち、「（６０００〜８０００）×ｎ回（多くは４〜５回）」個のゴルフボールをゴルフボール貸与機内に順次補給して行く必要がある。また、規模の大きいゴルフ練習場では、複数台のゴルフボール貸与機が設置されていることも多い。
【０００４】
このゴルフボール貸与機内へのゴルフボールの補給は手作業が多く、回収したゴルフボール６００個程度を３０ｃｍ３〜４０ｃｍ３のコンテナに収納し、これを人力で抱え上げ、脚立等を使用してゴルフボール貸与機の上方まで持ち上げて、ゴルフボール貸与機の上面に開口した投入口から補給している。
【０００５】
また、近時はエアの強制噴射によってゴルフボールを送出する手段として、傾斜した支持面を備えた支持架台と、投入された搬送、送出すべきゴルフボールの１個毎を送出位置まで持ち上げ、位置決めさせる傾斜した回転式のボール送出位置決め機構と、送出位置で空気の強制噴射によってゴルフボールを供給管に排出させる空気噴射手段とを備えたゴルフボール送出装置も提供されている（特許文献１）。
【先行技術文献】
【特許文献】
【０００６】
【特許文献１】特開２００１−１１２９０２号公報
【考案の概要】
【考案が解決しようとする課題】
【０００７】
しかしながら、特許文献１に示すエアを利用したゴルフボール送出装置の設置は設備投資を必要とする上、又構成が複雑であるため、汎用性に欠け普及するに至っていない。即ち、ゴルフボール貸与機毎にゴルフボールをエア搬送するための供給管，エア源，電源等を設備する必要性がある。そのため、一部の大規模なゴルフ練習場を除き、採用することが困難である。
【０００８】
そのため、多くのゴルフ練習場では全くの手作業で、即ち全くの肉体労働によってゴルフボール貸与機内にゴルフボールを順次補給しているのが現状である。かかる手作業によるゴルフボール貸与機内へのゴルフボールの補給は、作業者の肉体的負担が大きい上、脚立を使用して重量物であるゴルフボールを収納したコンテナを高所に持ち上げ、かつ、高所においてコンテナを傾けてゴルフボール貸与機内に投入する作業を常に要求されるため、極めて危険性が高い作業であり、実際に作業中の転倒事故も発生している。転倒事故が発生すると、場合によっては重大な怪我を生じたり、幸い作業者に怪我がなくとも、多数のゴルフボールが散乱してしまい、練習者に多大の迷惑をかけ、ゴルフ練習場としての機能が停止してしまうこととなる。そのため、作業者は専ら男性、しかも体力に自信のある男性に限られていた。考案者はゴルフ練習場において、かかる危険な作業を実際に見聞し、作業者から危険性と肉体的負担をヒアリングした結果、その改善を意図した。
【０００９】
上記事情に鑑み、本考案はゴルフ練習場で使用するゴルフボール貸与機内にゴルフボールを補給するための作業を安全に、かつ、肉体的労力に頼ることなく、作業負担を軽減して行うことができるとともに、女性であっても作業可能で使い勝手のよいゴルフボールの揚球装置を提供することを目的とする。
【課題を解決するための手段】
【００１０】
本考案は上記目的を達成するために、所定高さ位置からゴルフボール貸与機内にゴルフボールを落下させて補給するためのゴルフボールの揚球装置であって、移動可能な脚枠に立設した一対のガイドレール間に油圧シリンダにて昇降可能な昇降枠を装架し、底面部に補給孔を穿設した支持体を昇降枠に一体に連結するとともに、支持体に補給孔を覆蓋する蓋部材を開閉可能に設置し、支持体の補給孔と連通する開口部を底部に穿設したバスケットを支持体に固定してなるゴルフボールの揚球装置を基本として提供する。
【００１１】
そして、脚枠に油圧シリンダを立設し、該油圧シリンダのシリンダロッドの先端にスプロケットを連結するとともに、脚枠と昇降枠との間にスプロケットを介してチェーンを固定することにより、油圧シリンダのシリンダロッドの伸縮に連動して昇降枠を昇降させ、脚枠に足踏み又は手動にて駆動する油圧ポンプを設置し、足踏み又は手動にて駆動する油圧ポンプから圧油を油圧シリンダに供給する。
【００１２】
また、足踏み又は手動にて駆動する油圧ポンプを閉状態として加圧することにより、油圧シリンダを伸長させてバスケットを上昇させるとともに、加圧を停止することによって油圧シリンダを現位置に保持してバスケットを所定高さに保持し、足踏み又は手動にて駆動する油圧ポンプを開状態とすることにより、油圧シリンダから圧油を排出して、油圧シリンダを縮小させてバスケットを下降させる。
【００１３】
バスケット底部に開口部に向けて下降する傾斜面を形成し、蓋部材を摺動自在に支持体の下面に設置し、蓋部材にハンドルを装備した。更に、脚枠に固定キャスターとブレーキ機構を具備した方向転換可能な可動キャスターを設置し、ゴルフボールの揚球装置を手動にて移動自在、かつ、方向転換可能とした。
【００１４】
そして、バスケットに収納した一定量のゴルフボールを所定高さまで揚球し、蓋部材を操作して補給孔を開口し、バスケット内に収納したゴルフボールを開口部及び補給孔から外部に補給可能とした。また、バスケットの下端位置においてバスケット内に一定量のゴルフボールを収納し、バスケットを上昇させてゴルフボールを所定高さまで揚球する。
【考案の効果】
【００１５】
本考案によれば、ゴルフボールの揚球装置は移動自在、かつ、方向転換可能であるため、「打ちっ放し」式のゴルフ練習場において、回収したゴルフボールの近傍に移動させて、バスケットを下端位置に降下させておけば、回収したゴルフボールを容易にバスケット内に投入することができる。その後、ゴルフボール貸与機の近傍まで移動させ、油圧シリンダのシリンダロッドを伸長させることにより、昇降枠が上昇し、併せて昇降枠に固定した支持体及び支持体に固定したバスケットも上昇する。
【００１６】
ゴルフボール貸与機の上面に設置された投入口より高い位置までバスケットを垂直方向に上昇させた後、油圧シリンダを停止させ、ゴルフボール貸与機の投入口を開くとともに、ゴルフボールの揚球装置を移動させて、バスケットをゴルフボール貸与機の投入口の上方に位置させる。そして、支持体の補給孔を覆蓋している蓋部材を摺動させることにより、補給孔及びバスケット底部に穿設された開口部が開放することによって、バスケット内のゴルフボールがゴルフボール貸与機の投入口から自動的に補給される。
【００１７】
その後、ゴルフボールの揚球装置をゴルフボール貸与機から離脱させ、操作杆を操作して油圧シリンダ内の圧油を排出することにより、バスケット，支持体，昇降枠は自重により、下端位置まで降下する。以後、この作業を必要に応じて繰り返せばよい。
【００１８】
よって、ゴルフ練習場で使用するゴルフボール貸与機内にゴルフボールを補給するための作業を安全に、かつ、肉体的労力に頼ることなく、作業負担を軽減して行うことができるとともに、女性であっても作業可能で使い勝手よく作業をすることができる。
【図面の簡単な説明】
【００１９】
【図１】本考案にかかるゴルフボールの揚球装置の正面図。
【図２】本考案にかかるゴルフボールの揚球装置の右側面図。
【図３】本考案にかかるゴルフボールの揚球装置の左側面図。
【図４】本考案にかかるゴルフボールの揚球装置の平面図。
【図５】使用状態を示す説明図。
【図６】可動キャスターの固定時の（ａ）平面図，（ｂ）側面図。
【図７】可動キャスターの可動時の（ａ）平面図，（ｂ）側面図。
【図８】バスケットの（ａ）平面図，（ｂ）Ａ−Ａ断面図。
【図９】傾斜台の（ａ）平面図，（ｂ）Ｂ−Ｂ断面図。
【図１０】支持体の背面図。
【図１１】支持体の側面図。
【図１２】支持体の平面図。
【図１３】支持体の底面図。
【図１４】移送器具の正面図。
【図１５】移送器具の左側面図。
【図１６】移送器具の右側面図。
【図１７】ゴルフボールの移送状態を示す説明図。
【考案を実施するための形態】
【００２０】
以下図面に基づいて本考案にかかるゴルフボールの揚球装置の実施形態を説明する。図１は本考案にかかるゴルフボールの揚球装置１の正面図、図２はその右側面図、図３はその左側面図、図４はその平面図である。図において、１はゴルフボールの揚球装置であり、一定量のゴルフボール３をゴルフボール貸与機２（図５参照）の上面に形成した投入口２ａの上方まで揚球し、その高さ位置からゴルフボール貸与機２内に落下させて補給するものである。
【００２１】
４は平面視Ｈ型の脚枠であり、一方方向に一対の長尺の前脚４ａ，４ｂを平行に延長し、反対方向に一対の短尺の後脚４ｃ，４ｄを平行に延長するとともに、両者の間に基枠４ｅを直交して架設している。この基枠４ｅの長手方向の両端部には、Ｃ形鋼からなる一対のガイドレール５ａ，５ｂを、その凹部を対面させて立設するとともに、その開放上端部に上梁６を架設している。
【００２２】
また、基枠４ｅには、油圧シリンダ７及び油圧シリンダ７に圧油を供給・排出するための足踏み又は手動にて駆動する油圧ポンプ８を装備している。９は、油圧ポンプ８を操作するための操作杆であり、１０は、油圧ポンプ８を駆動するための足踏み式のペダルである。操作杆９を操作して足踏みにて駆動する油圧ポンプ８を閉状態として、ペダル１０を足で踏むことにより、油圧ポンプ８を加圧することによって、油圧ポンプ８から圧油が油圧シリンダ７に供給される。そして、ペダル１０を踏むことを停止すれば、圧油は油圧シリンダ７内に保持されるため、油圧シリンダ７を現位置に留めることができる。また、操作杆９を操作して足踏みにて駆動する油圧ポンプ８を開状態とすることにより、油圧シリンダ７から圧油を排出して、油圧シリンダ７を縮小させることができる。なお、足踏み式のペダル１０に代えて、油圧ポンプ８を手動にて駆動して圧油を供給する適宜の加圧部材を設置してもよい。
【００２３】
一対のガイドレール５ａ，５ｂ間の対面する凹部には、油圧シリンダ７にて昇降可能な昇降枠１１を昇降自在に装架している。そして、基枠４ｅに立設した油圧シリンダ７のシリンダロッド７ａの先端にスプロケット１２を連結して、基枠４ｅと昇降枠１１との間にスプロケット１２を介してチェーン１３を固定する。よって、油圧シリンダ７のシリンダロッド７ａの伸縮に連動して昇降枠１１を一対のガイドレール５ａ，５ｂに沿って昇降させることができる。なお、図においてスプロケット１２はカバーに被覆された状態として図示している。
【００２４】
昇降枠１１には、支持体１４を連結し、この支持体１４は昇降枠１１と一体に昇降する。図１０は、支持体１４の背面図、図１１はその側面図、図１２はその平面図、図１３はその底面図である。支持体１４は、昇降枠１１に連結するための背面部１４ａと、背面部１４ａから水平方向に延長した底面部１４ｂと、底面部１４ｂに穿設した補給孔１４ｃから構成している。１４ｄは孔部であり、軽量化のために背面部１４ａの中央部を穿設している。底面部１４ｂの下面には、補給孔１４ｃの両側に一対の摺動ガイド１５ａ，１５ｂが付設され、この摺動ガイド１５ａ，１５ｂに平板状の蓋部材１６を摺動自在に係合させ、補給孔１４ｃを開閉可能に覆蓋している。１７は、蓋部材１６を摺動させるためのハンドルである。なお、摺動ガイド１５ａ，１５ｂの開放端部にはストッパとしての凸部を突設し、蓋部材１６が摺動時に抜け落ちないようにしている。
【００２５】
支持体１４には、補給孔１４ｃと連通する開口部１８ａを底部１８ｂに穿設したバスケット１８を固定する。図８（ａ）はバスケット１８の平面図，図８（ｂ）はＡ−Ａ断面図、図９（ａ）は傾斜台１９の平面図，図９（ｂ）はＢ−Ｂ断面図である。バスケット１８はゴルフボール３を６００個〜８００個程度収納可能であり、開口部１８ａの開口縁部に向けて下降する傾斜面１９ａを有する傾斜台１９を底部１８ｂに設置している。２０は、円柱体の内部に螺子溝を刻設したボルト留具であり、傾斜台１９の下面に溶接等によって複数個を固着している。そして、バスケット１８の底部１８ｂに設置した傾斜台１９の底部から前記した複数のボルト留具２０を外方に突出させて支持体１４に載置し、支持体１４の底面部１４ｂから固定具としてのボルト（図示略）をボルト留具２０に螺合させることによって、支持体１４にバスケット１８，傾斜台１９を一体として固着する。
【００２６】
図示例では、バスケット１８を平面視において矩形状とし、傾斜台１９もバスケット１８の形状に合わせて４分割したものを一体に連結してバスケット１８の底部１８ｂに設置したが、特に形状に限定はなく、バスケット１８は平面視において円形であっても、多角形状であってもよく、傾斜台１９もバスケット１８の底部１８ｂの形状に応じて設置すればよい。
【００２７】
脚枠４の前脚４ａ，４ｂの先端部には、それぞれ固定キャスター２１ａ，２１ｂが回転可能に設置され、又後脚４ｃ，４ｄにはブレーキ機構（図示略）を具備した方向転換可能な可動キャスター２２ａ，２２ｂが回転可能に設置されている。なお、ブレーキ機構は可動キャスターの一方又は双方に装備する。更に、ガイドレール５ａ，５ｂの中間部分には移動ハンドル２３ａ，２３ｂが突設されている。よって、作業者は移動ハンドル２３ａ，２３ｂを握持して、ゴルフボールの揚球装置１を押動することにより、手動にて移動自在、かつ、方向転換可能である。
【００２８】
図６（ａ）は可動キャスター２２ａ，２２ｂの固定時の平面図，図６（ｂ）はその側面図、図７（ａ）は可動キャスター２２ａ，２２ｂの可動時の平面図，図７（ｂ）はその側面図である。図に示すように、後脚４ｃ（４ｄ）に、可動キャスター２２ａ（２２ｂ）が縦軸２４を介して水平方向に回動可能に軸支されており、方向転換可能である。２５は下面が開口した断面コ字状のストッパであり、後脚４ｃ（４ｄ）に摺動自在に跨座しており、螺子２６を締め付けることにより、現位置に固定され、螺子２６を緩めることにより、後脚４ｃ（４ｄ）上を長孔２９に沿って摺動可能である。よって、図６（ａ）（ｂ）に示すように、螺子２６を緩め、ストッパ２５を長孔２９に沿って摺動させて、可動キャスター２２ａ（２２ｂ）を軸支するブラケット２７を係止し、その位置で螺子２６を締め付けることにより、可動キャスター２２ａ（２２ｂ）の水平方向の回転を規制することができ、可動キャスター２２ａ（２２ｂ）の進行方向を固定することができる。
【００２９】
一方、図７（ａ）（ｂ）に示すように、螺子２６を緩め、ストッパ２５を長孔２９に沿って摺動させて、可動キャスター２２ａ（２２ｂ）を軸支するブラケット２７と係合しない位置において、螺子２６を締め付けることにより、可動キャスター２２ａ（２２ｂ）を水平方向に自由に回転させることができ、可動キャスター２２ａ（２２ｂ）の進行方向を任意に方向転換することができる。
【００３０】
次に回収したゴルフボール３をゴルフボールの揚球装置１のバスケット１８に移送するための移送器具４１について説明する。図１４は移送器具４１の正面図、図１５はその左側面図、図１６はその右側面図である。移送器具４１は、升状の容器の１つの側面を切除した開放面４１ａ（図１４における左側面）とする断面逆Ｌ字状の容器であって、開放面４１ａと対向する対向面４１ｂ（図１４における右側面）の高さを高くし、他の正面及び背面を対向面４１ｂに向けて上方に傾斜した傾斜正面４１ｃ，傾斜背面４１ｄとして形成する。よって、開放面４１ａは完全に切り欠かれて切除されており、開放面４１ａと連続する上面も開口し、底面４１ｅが対向面４１ｂ，傾斜正面４１ｃ，傾斜背面４１ｄ間に形成されている。また、対向面４１ｂに、所定面積の矩形状の移送孔４１ｆが穿設されている。４１ｇは底面４１ｅの開放端部に延設された回動ハンドルであり、４１ｈは移送孔４１ｆの開口縁部の強度を補強するために付設した補強リブである。
【００３１】
４２はスタンドであり、逆Ｕ字状の一対の支持枠４２ａ，４２ｂを上桟４２ｃと下桟４２ｄで連結し、支持枠４２ａ，４２ｂの上端部に立設したブラケット４３ａ，４３ｂに回転軸４４を軸支している。この回転軸４４に移送器具４１の対向面４１ｂの背面を溶接等の適宜の手段で固着する。よって、移送器具４１は回転軸４４を中心として時計方向に回動自在であり、回動させることにより、対向面が時計方向に９０度回動し、ストッパに（図示略）によって停止する。
【００３２】
この移送器具４１を使用して、回収したゴルフボールをゴルフボールの揚球装置１のバスケット１８に移送し、その後所定高さまで揚球し、ゴルフボール貸与機２に補給する。先ず、ゴルフ練習場から回収したゴルフボール３を所定個数（概ね６００個〜８００個）だけ収納した収納容器２８を図１７に示すように、移送器具４１の底面４１ｅに抱え上げて載置させる。次に、ゴルフボールの揚球装置１の移動ハンドル２３ａ，２３ｂを握持して、手動にてゴルフボールの揚球装置１を移送器具４１の近傍に隣接する所定の位置に移動させる。
【００３３】
前記したように、ゴルフボールの揚球装置１は、ゴルフボールの揚球装置１の可動キャスター２２ａ，２２ｂのストッパ２５をブラケット２７から離脱させて自由に方向転換を行えるようにするとともにブレーキ機構を解除した状態で移動する。また、ゴルフボールの揚球装置１の作業時には、安全のため、可動キャスター２２ａ，２２ｂのストッパ２５をブラケット２７に係合させるとともにブレーキ機構を作動させて位置を固定する。このことは以下に示すゴルフボール貸与機２へのゴルフボール３の補給作業その他の作業に於いても同様である。
【００３４】
次に、図１７に示すように、移送器具４１の回動ハンドル４１ｇを操作して、移送器具４１を回転軸４４を中心として時計方向に９０度回転させることにより、対向面４１ｂが下面となり、底面４１ｅに載置した収納容器２８も時計方向に９０度回転するため収納容器２８内のゴルフボール３が収納容器２８から転がり出て、移送器具４１の対向面４１ｂに穿設した移送孔４１ｆから、ゴルフボールの揚球装置１の下端位置まで降下させたバスケット１８内に転がり落ちることとなり、所定数のゴルフボール３をバスケット１８内に移送することができる。
【００３５】
そして、バスケット１８に回収したゴルフボール３を収納したゴルフボールの揚球装置１を、ゴルフボール貸与機２の近傍まで移動させ、操作杆９を操作して、圧油を供給可能な状態に油圧ポンプ８をセットし、ペダル１０を必要回数踏み込めば、油圧シリンダ７のシリンダロッド７ａが伸長し、シリンダロッド７ａの先端に付設したスプロケット１２が上昇するとともに、スプロケット１２を介して油圧シリンダ７と昇降枠１１との間に配置したチェーン１３が駆動され、昇降枠１１が上昇する。併せて昇降枠１１に固定した支持体１４及び支持体１４に固定したバスケット１８も図１の矢印Ｙに示すように上昇する。
【００３６】
ゴルフボール貸与機２の上面に設置された投入口２ａ（図５参照）より高い位置までバスケット１８を垂直方向に上昇させて、油圧ポンプ８の駆動を停止する。このとき圧油は油圧シリンダ７内に保持されるため、バスケット１８は上昇した位置に留まる。
【００３７】
ゴルフボール貸与機２は図５に示すように、所定間隔で離間して設置した一対の枕木３０（一方の枕木は図示略）の間に載置しておくことにより、接地面ＧＬとゴルフボール貸与機２の底面との間に所定高さの空間３１を形成するように設置する。この空間３１はゴルフボールの揚球装置１の前脚４ａ，４ｂが侵入可能な高さを有している。なお、枕木３０の設置方向や位置は限定はなく、ゴルフボールの揚球装置１の前脚４ａ，４ｂが侵入可能な空間３１が形成されていればよい。
【００３８】
そして、所定数のゴルフボール３を収納して、ゴルフボール貸与機２の上面に設置された投入口２ａ（図５参照）より高い位置にバスケット１８を上昇させて保持したゴルフボールの揚球装置１を移動させ、ゴルフボール貸与機２の投入口２ａを開くとともに、図５に示すように前脚４ａ，４ｂをゴルフボールの揚球装置１と接地面ＧＬとの空間３１に侵入させてバスケット１８をゴルフボール貸与機２の投入口２ａの上方に位置させる。この状態で、支持体１４の補給孔１４ｃを覆蓋している蓋部材１６をハンドル１７を操作して摺動させることにより、補給孔１４ｃ及びバスケット底部１８ｂに穿設された開口部１８ａが開放することによって、バスケット１８内のゴルフボール３がゴルフボール貸与機２の投入口２ａから自動的に補給される。
【００３９】
その後、ゴルフボールの揚球装置１をゴルフボール貸与機２から離脱させ、操作杆９を操作して油圧シリンダ７内の圧油を排出することにより、バスケット１８，支持体１４，昇降枠１１は自重により、下端位置まで降下する。以後、この作業を必要に応じて繰り返せばよい。
【産業上の利用可能性】
【００４０】
ゴルフボール貸与機の上面に設置された投入口より高い位置までバスケットを垂直方向に上昇させた後、油圧シリンダを停止させ、ゴルフボール貸与機の投入口を開くとともに、ゴルフボールの揚球装置を移動させて、バスケットをゴルフボール貸与機の投入口の上方に位置させる。そして、支持体の補給孔を覆蓋している蓋部材を摺動させることにより、補給孔及びバスケット底部に穿設された開口部が開放することによって、バスケット内のゴルフボールがゴルフボール貸与機の投入口から自動的に補給される。
【００４１】
その後、ゴルフボールの揚球装置をゴルフボール貸与機から離脱させ、操作杆を操作して油圧シリンダ内の圧油を排出することにより、バスケット，支持体，昇降枠は自重により、下端位置まで降下する。以後、この作業を必要に応じて繰り返せばよい。
【００４２】
よって、ゴルフ練習場で使用するゴルフボール貸与機内にゴルフボールを補給するための作業を安全に、かつ、肉体的労力に頼ることなく、作業負担を軽減して行うことができるとともに、女性であっても作業可能で使い勝手よく作業をすることができる。
【符号の説明】
【００４３】
１…ゴルフボールの揚球装置
２…ゴルフボール貸与機
３…ゴルフボール
４…脚枠
４ａ，４ｂ…前脚
４ｃ，４ｄ…後脚
４ｅ…基枠
５ａ，５ｂ…ガイドレール
６…上梁
７…油圧シリンダ
７ａ…シリンダロッド
８…油圧ポンプ
９…操作杆
１０…ペダル
１１…昇降枠
１２…スプロケット
１３…チェーン
１４…支持体
１４ａ…背面部
１４ｂ…底面部
１４ｃ…補給孔
１４ｄ…孔部
１５ａ，１５ｂ…摺動ガイド
１６…蓋部材
１７…ハンドル
１８…バスケット
１８ａ…開口部
１８ｂ…底部
１９…傾斜台
１９ａ…傾斜面
２０…ボルト留具
２１ａ，２１ｂ…固定キャスター
２２ａ，２２ｂ…可動キャスター
２３ａ，２３ｂ…移動ハンドル
２４…縦軸
２５…ストッパ
２６…螺子
２７…ブラケット
２８…収納容器
２９…長孔
３０…枕木
３１…空間
４１…移送器具
４１ａ…開放面
４１ｂ…対向面
４１ｃ…傾斜正面
４１ｄ…傾斜背面
４１ｅ…底面
４１ｆ…移送孔
４１ｇ…回動ハンドル
４１ｈ…補強リブ
４２…スタンド
４２ａ，４２ｂ…支持枠
４２ｃ…上桟
４２ｄ…下桟
４３ａ，４３ｂ…ブラケット
４４…回転軸
【図１】
0003188442.tif 000003
【図２】
0003188442.tif 000004
【図３】
0003188442.tif 000005
【図４】
0003188442.tif 000006
【図５】
0003188442.tif 000007
【図６】
0003188442.tif 000008
【図７】
0003188442.tif 000009
【図８】
0003188442.tif 000010
【図９】
0003188442.tif 000011
【図１０】
0003188442.tif 000012
【図１１】
0003188442.tif 000013
【図１２】
0003188442.tif 000014
【図１３】
0003188442.tif 000015
【図１４】
0003188442.tif 000016
【図１５】
0003188442.tif 000017
【図１６】
0003188442.tif 000018
【図１７】
0003188442.tif 000019